(57)【要約】      （修正有）【課題】機械的に作成された要約情報では必ずしも利用者の好みに合わせた要約とはなっておらず、利用者の好みに応じた録画再生を容易に実現する手段を提供する。【解決手段】要約再生をおこなうために要約情報生成部によって生成された各フレームの重要度を示す要約再生情報を用いて、再生する領域とスキップする領域を色分けして表示するシークバーを設けると共に、要約再生時間の変更や再生可否を選択可能とする制御手段を設ける。【選択図】図６
2010183596.tif 000002
【特許請求の範囲】
【請求項１】
映像音声情報を録画し再生を行う録画再生システムにおいて、
録画中のストリームや録画済みのファイルの各フレームの重要度を決定し、映像音声情報と共に要約情報として記憶し、該要約情報を元に指定された重要度以上のフレームだけを要約として再生することが可能な手段を備えて、
表示装置上に要約として再生する部分と再生しない部分を区別可能に表示するとともに、
要約として再生する部分と再生しない部分の比を変更する手段を有し、
再生中でも該手段による比の変更に従い要約を再抽出し、表示装置上に要約として新たに抽出された再生する部分と再生しない部分を区別可能に表示することが可能な録画再生装置。
【請求項２】
映像音声情報を録画し再生を行う録画再生システムにおいて、
録画中のストリームや録画済みのファイルの各フレームの重要度を決定し、映像音声情報と共に要約情報として記憶し、該要約情報を元に指定された重要度以上のフレームだけを要約として再生することが可能な手段を備えた録画再生装置であって、
表示装置上に各フレームの重要度を区別可能に表示すると共に指定された重要度を表示することが可能な録画再生装置。
【発明の詳細な説明】
【技術分野】
【０００１】
本発明は、映像音声情報を録画し再生を行う録画再生装置であって、特に要約再生が可能な録画再生装置に関するものである。
【背景技術】
【０００２】
録画再生システムにおいて、要約録画を実現するために、録画ファイルの音声の大きさ情報を用いて、重要な場面のみを抽出する情報を取り出し、いわゆるハイライト再生を可能とするシステムとして、特許文献１記載の録画装置などがある。
【先行技術文献】
【特許文献】
【０００３】
【特許文献１】特開２００２−３３０３９０号公報
【発明の概要】
【発明が解決しようとする課題】
【０００４】
この技術によれば、長い番組の大事な場面のみを示す情報を取り出し、短時間で録画ファイルが再生できるといった効果がある。
【０００５】
しかしながら、要約再生される部分は機械的に選択されるため、必ずしも利用者の好みに合わせた要約が作成されるわけではないという問題があった。たとえば歌唱部分とトーク部分などから構成される歌番組では歌唱部分を中心に要約が作成されるため、利用者の好みでない曲も再生されるし、好みのタレントのトーク部分は再生されないなど、利用者の好みに合わせた要約を作成することはできなかった。
【０００６】
本発明は、要約再生機構を備えた録画再生システムにおいて、利用者に対してどの領域を再生、または再生せずにスキップするのかといった情報をわかりやすく伝達する方法を提供すると共に、利用者の嗜好に合った再生を容易に実現する再生制御方法を持つ録画再生装置を提供することにある。
【課題を解決するための手段】
【０００７】
本発明では、要約再生を行う表示装置上に要約再生状態を現すシークバーと呼ぶ表示手段と利用者がシークバーの操作を行うための制御手段とを設け、上記の課題を解決する。
【発明の効果】
【０００８】
本発明においては、要約再生時に要約再生する領域としない領域を区別して表示するため、利用者は番組全体のどの領域が再生されるかあらかじめ認識することが可能となる。
【０００９】
また、要約再生中においても利用者は要約再生の時間長または要約比率を変更することや再生する／しないを容易に変更できるため、利用者の意向に沿った要約再生が可能となる。
【図面の簡単な説明】
【００１０】
【図１】録画再生システム内部ブロック図（実施例１）
【図２】記憶装置内の録画ファイルと要約重要度情報（実施例１）
【図３】要約重要度情報（実施例１）
【図４】リモコン図（実施例１）
【図５】要約再生情報（実施例１）
【図６】要約再生画面とシークバー（実施例１）
【図７】要約再生中の要約再生比率変更（実施例１）
【図８】要約再生情報（実施例２）
【図９】要約再生画面とシークバー（実施例２）
【図１０】要約再生時の１フレームの表示処理（実施例１）
【図１１】要約再生時の１フレームの表示処理（実施例２）
【発明を実施するための形態】
【００１１】
以下、本発明の実施の形態を図面に基づいて説明する。図１は本発明の一実施の形態による録画再生システムの構成を示す構成図である。
【００１２】
録画再生システム１は、録画再生システム１の受信チャンネル設定や録画予約情報を入力するリモコン３、映像記録装置の制御を行うCPU４およびメインメモリ１２、放送データを受信するT Vチューナ回路５、録画再生システムの操作指示・情報入力を行う入力制御部８、映像音声情報やプログラムを記録する記憶装置９、TVチューナ回路５から受信した映像音声情報や記憶装置９に記録されている映像音声情報を表示装置２に表示する制御を行う表示制御部１０から構成されている。
【００１３】
また、CPU４によって実行される映像録画装置の制御プログラムはメインメモリ１２に展開され、放送番組等の映像音声情報を記憶装置へ記録する録画制御部６、記憶装置に記録された映像音声情報を再生する再生制御部７、記憶装置に記録されている録画ファイルの映像音声情報から要約再生情報を生成する要約情報生成部１１などから構成されている。
【００１４】
なお、これらの構成は、本発明を適用する録画再生システムの一例を示したものであり、以下に示すような各機能の動作を行うことのできる構成であれば良く、このような構成に限定されない。
【実施例１】
【００１５】
図１においてリモコン３から入力制御部８へ録画命令が送信されると、録画再生システム１はTVチューナ回路５から受信した放送番組等の映像情報を録画制御部６によって記憶装置９へ記録する。  
要約情報生成部１１は記憶装置９に記録された録画ファイルの映像音声情報から要約再生情報の元となる要約重要度情報を生成し、記憶装置９へ記録する。
【００１６】
図２は記憶装置内に記録される情報を示した図である。２２は録画ファイル、２３は録画重要度情報である。図２に示すように、要約重要度情報２３は録画ファイル２２と対になって記録される。
【００１７】
図３は要約重要度情報をあらわす表の例の一部を示したものである。要約重要度情報は、図３に示すような構成となっており、時間領域ごとに開始時間と終了時間およびその時間領域の録画ファイル全体における重要度を示す値が記述されている。
【００１８】
図４は録画再生システム１を操作するためのリモコン３の概観図である。４１は電源ボタン、４２は右ボタン、４３は後スキップボタン、４４はチャンネルアップボタン、４５はチャンネルダウンボタン、４６は再生ボタン、４７は早送りボタン、４８は要約再生ボタン、 ４９は録画ボタン、５０は上ボタン、５１は左ボタン、５２は決定ボタン、５３は下ボタン、 ５４は巻き戻しボタン、５５は停止ボタン、５７は前スキップボタンである。
【００１９】
リモコン３の要約再生ボタン４８を押下するとリモコン３から入力制御部８へ要約再生命令が送信され、再生制御部７は、記憶装置９に記録された要約重要度情報２３を読み出し、あらかじめ録画再生システム１に設定されている要約再生時間長になるように重要度の高い順から再生するか否かを決定し要約再生情報を生成する。
【００２０】
要約重要度情報の生成方法については本発明の範囲外であるであるため、説明を省略する。
【００２１】
図５は要約再生情報の例の一部を示したものである。要約再生情報は図５に示すような構成となっており、開始と終了の時間情報と、その時間領域の再生可否の情報が記述されている。
【００２２】
要約再生時には、要約再生情報に基づき、再生制御部７は記憶装置９に記録された録画ファイル２２の映像音声情報の再生を開始する。このとき、要約再生情報において再生が可とされている時間領域は再生し、再生が否とされている時間領域は再生せず、次の再生可とされている時間領域にスキップして再生する。
【００２３】
図６（a）は要約再生中の画面であり、６１は再生画面全体、６３はシークバーであり、６２は現在再生している位置を示すカーソル、６４は再生開始位置を示し、６５から６９はマーカー、７０は再生終了位置を示す。
【００２４】
要約再生中は図６（a）に示すように、要約再生情報に記述されている情報をもとに表示装置２の再生画面６１にシークバー６３を表示する。あるいは利用者からの再生制御操作を受けた時にシークバー６３を表示し、一定時間後には消去するようにしてもよい。
【００２５】
再生を行う領域である６４と６５の間の領域および６６と６７の間および６８と６９の間は明るい色で表示し、再生を行わない領域である６５と６６の間および６７と６８の間と６９と７０の間は暗い色で表示する。これにより利用者は、録画ファイル２２中のどの領域が再生されるのか容易に判断することができる。ここでは一例として明るい色と暗い色を用いているが、容易に区別可能であれば、色の違いや模様の違いなどでもよい。
【００２６】
要約再生ボタン４８は要約再生をするか通常の再生をするかを選択するためのボタンであり、要約再生中に要約再生ボタン４８を押下すると通常再生に変更される。図６（a）の状態で要約再生ボタン４８を押下したときのシークバー６３を図６（b）に示す。図６（b）に示すようにシークバー６３は、マーカーを残したままですべての時間領域が明るい色の表示に変更される。また、通常再生時の制御が可能になるため、必要に応じ後ろスキップボタン４３を押下し前のマーカーまで戻したり、巻き戻しボタン54を押下し巻き戻しをすることにより、要約再生でスキップされた画像を視聴することが容易にできる。図６（c）に少し巻き戻したときのシークバー６３とカーソル６２を示す。
【００２７】
通常再生中に要約再生ボタン４８を押下すると要約再生に変更される。図６（c）の状態で要約再生ボタン４８を押下したときのシークバー６３とカーソル６２を図６（d）に示す。要約再生ボタン４８押下前のカーソル６２が要約再生時には再生されない時間領域にある場合には、要約再生に変更時にはカーソル６２は次に再生する時間領域にスキップする。
【００２８】
図７は要約再生時の要約再生時間の変更について説明する図である。図７（a）が変更前、図７（b）が変更後の画面である。
【００２９】
要約再生時に利用者がリモコン３の上ボタン５０または下ボタン５３を押下すると図７（a）に示すように再生画面６１上に要約再生時間８０が表示され、一定時間後に消去される。あるいはシークバー６３と共に表示するようにしても良い。また、要約再生時間のかわりに要約再生比率を表示しても良い。要約再生比率は録画ファイルに記録されている映像音声情報の時間長にたいして要約再生を行う時間長を百分率であらわしたものである。
【００３０】
図７（b）に示すように、上ボタン１６を押下すると図７（b）に表示されているように再生画面６１上の要約再生時間８０が増加し、下ボタン１７を押下すると表示されている要約再生時間８０が減少する。また、再生制御部７は要約重要度情報２３から新たに要約再生時間に対応した要約再生情報を生成する。この新たに生成された要約再生情報を用いてシークバー６３の表示を更新する。
【００３１】
図７（b）では要約再生時間が増加したため、シークバー６３において、９２と９３の間、９４と９５の間、９６と９７の間の領域が追加されている。また、６８と６９の領域が拡大し、９８と９９の領域へと変化している。
【００３２】
図１０に要約再生時の１フレームを表示する処理の概略を示す。ユーザ指示がなく要約再生情報に基づいて設定されるマーカーがカレントフレーム（現在表示しようとしている画面）に設定されていないばあいは、カレントフレームを表示後、カレントフレームを更新することにより次々にフレームを表示する。ユーザ指示がある場合はユーザ指示に従った処理を行うルーチンへ処理を移す。要約再生情報に基づくマーカーがカレントフレームに設定されている場合には、現在の時間領域の要約再生情報を参照し、再生可否が可の場合はカレントフレームを表示後、カレントフレームを更新し、否の場合には要約再生情報を参照し再生可否が可である時間領域の先頭にカレントフレームを進める。
【００３３】
通常再生ではマーカーや要約再生情報に関する判断２０１、２０２および処理２０３は行われないため、全てのフレームを表示することになる。
【００３４】
図１０では説明を簡単にするため省略しているが、再生する時間領域が残っていない場合には表示処理を終了する。
【００３５】
リモコン３によって要約再生ボタン４８が押下された場合や上ボタン５０または下ボタン５３が押下された場合はユーザ指示の処理のルーチンで要約再生と通常再生を切り替えたり、要約再生比率が変更され要約再生情報が再生成される。
【実施例２】
【００３６】
本発明の第２の実施例を図８、図９、図１１を用いて説明する。
第２の実施例は要約重要度情報２３に基づいて各時間領域を要約再生時間長に応じた４レベルに分類したレベルを持たせ、要約再生する時間領域をレベルで判断している。本実施例では説明を簡単にするため４レベルで示すが４レベルである必要ない。
【００３７】
図８は第１の実施例の図５の要約再生情報に対応する表である。要約再生情報は図８に示すような構成となっており、開始と終了の時間情報と、その時間領域の重要度のレベルが記述されている。
【００３８】
第２の実施例では新たに再生レベルを保持する手段を設け、その再生レベルに従って再生される時間領域が決められる。再生レベルは、録画ファイル選択時には要約再生時間長に従って決められ、要約再生時には利用者のリモコン３からの指示によって選択される。
【００３９】
図９は第１の実施例の図６（a）に相当する図である。重要度の高いレベルほど高い明度で、重要度の低いレベルほど低い明度で表示している。本実施例では明度の違いで表示する方法を示すが、各レベルを区別できれば明度でなくても良い。
【００４０】
図９で６４は再生開始位置を示し、１０１から１１７はマーカー、７０は再生終了位置を示す。図９では、最も明度の高い時間領域は１０３と１０４の間、１１０と１１１の間、１１４と１１５の間であり、次に明度の高い時間領域は１０１と１０２の間、１０４と１０５の間、１０７と１０８の間、１０９と１１０の間、１１１と１１２の間、１１５と１１６の間、３番目に明度の高い時間領域は１０２と１０３の間、１０６と１０７の間、１１２と１１３の間、１１６と１１７の間、最も明度の低い時間領域は６４と１０１の間、１０５と１０６の間、１０８と１０９の間、１１３と１１４の間、１１７と７０の間になっている。
【００４１】
また、１２０は本実施例で新たに追加された再生レベルを表示するもので、図９では２番目に明度の高いレベルが選択されている。
再生時には、選択されている再生レベルを含め、より重要度の高いレベルの時間領域を再生する。
【００４２】
従って、図９の例では１０１と１０２の間、１０３から１０５の間、１０７と１０８の間、１０９から１１２の間、１１４から１１６の間が再生されることになる。
【００４３】
図９の状態でリモコン３の上ボタン５０を押下することにより、より重要度の低いレベルが選択され再生レベル表示１２０が変更されるとともに、要約再生比率を増加させることができる。同様に下ボタン５３を押下することにより、より重要度の高いレベルだけが選択され再生レベル表示１２０が変更されるとともに、要約再生比率を減少させることができる。
【００４４】
図１１に第２の実施例での要約再生時の１フレームを表示する処理の概略を示す。第１の実施例との違いはマーカーの有無の判断２０１がYESの場合の処理で、第１の実施例では要約再生情報の再生可否で表示するか否かを判断するが、第２の実施例では重要度レベルがそのときの再生レベルより大きいか否かで判断をしている。
【符号の説明】
【００４５】
１  録画再生システム、２  表示装置、３  リモコン、４  CPU、
５  TVチューナ回路、６  録画制御部、７  再生制御部、８  入力制御部、
９  記憶装置、１０  表示制御部、１１  要約情報生成部１２  メインメモリ、
２２  録画ファイル、２３  要約重要度情報、４１  電源ボタン、
４２  右ボタン、４３  後スキップボタン、４４  チャンネルアップボタン、
４５  チャンネルダウンボタン、４６  再生ボタン、４７  早送りボタン、
４８  要約再生ボタン、４９  録画ボタン、５０  上ボタン、５１  左ボタン、
５２  決定ボタン、５３  下ボタン、５４  巻き戻しボタン、５５  停止ボタン、
６１  要約再生画面、６２  再生位置カーソル、６３  シークバー、
６４〜７０  マーカー、８０  要約再生時間、９２〜９９  マーカー、
１０１〜１１７  マーカー、１２０  再生レベル表示、
２０１  マーカーの有無に関する判断、２０２  再生可否に関する判断、
２０３  次に再生する時間領域へのスキップ処理、２０４  再生可否に関する判断
【図１】
2010183596.tif 000003
【図２】
2010183596.tif 000004
【図３】
2010183596.tif 000005
【図４】
2010183596.tif 000006
【図５】
2010183596.tif 000007
【図６】
2010183596.tif 000008
【図７】
2010183596.tif 000009
【図８】
2010183596.tif 000010
【図９】
2010183596.tif 000011
【図１０】
2010183596.tif 000012
【図１１】
2010183596.tif 000013